(57)【要約】【課題】書込み動作を安定にかつ高速に行うことができるプラズマディスプレイパネルを提供する。【解決手段】走査電極６と維持電極７とは２本ずつ交互に配列し、前面基板１上に走査電極６と平行に配置した補助走査電極２０と、背面基板２上に走査電極６と平行に配置したプライミング電極１４とを備え、補助走査電極２０は、隣接する走査電極よりも以前に走査する走査電極と電気的に接続され、補助走査電極２０とプライミング電極１４との間でプライミング放電を生じさせる構成とした。【選択図】  図１
2004288514.tif 000002
【特許請求の範囲】
【請求項１】
第１の基板上に互いに平行に配置しかつ誘電体層で覆った走査電極および維持電極と、
前記第１の基板上に前記走査電極と平行に配置した補助走査電極と、
前記第１の基板に放電空間を挟んで対向配置される第２の基板上に前記走査電極および維持電極と直交する方向に配置したデータ電極と、
前記第２の基板上に前記走査電極と平行に配置しかつ前記補助走査電極との間で放電を生じさせるプライミング電極と
を備えたことを特徴とするプラズマディスプレイパネル。
【請求項２】
前記補助走査電極は当該補助走査電極に隣接する走査電極よりも以前に走査する走査電極と電気的に接続されていることを特徴とする請求項１に記載のプラズマディスプレイパネル。
【請求項３】
前記走査電極と前記維持電極とは２本ずつ交互に配列したことを特徴とする請求項１または請求項２に記載のプラズマディスプレイパネル。
【発明の詳細な説明】
【０００１】
【発明の属する技術分野】
本発明は、ＡＣ型プラズマディスプレイパネルに関する。
【０００２】
【従来の技術】
プラズマディスプレイパネル（以下、ＰＤＰあるいはパネルと略記する）は、大画面、薄型、軽量であることを特徴とする視認性に優れた表示デバイスである。ＰＤＰの放電方式としてはＡＣ型とＤＣ型とがあり、電極構造としては３電極面放電型と対向放電型とがある。しかし現在は、高精細化に適し、しかも製造の容易なことからＡＣ型かつ面放電型であるＡＣ型３電極ＰＤＰが主流となっている。
【０００３】
ＡＣ型３電極ＰＤＰは、一般に、対向配置された前面板と背面板との間に多数の放電セルを形成してなる。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向、密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としては、１フィールド期間を複数のサブフィールドに分割した上で、発光させるサブフィールドの組み合わせによって階調表示を行う、いわゆるサブフィールド法が一般的である。ここで、各サブフィールドは初期化期間、書込み期間および維持期間をもつ。
【０００５】
初期化期間では、すべての放電セルで一斉に初期化放電を行い、それ以前の個々の放電セルに対する壁電荷の履歴を消すとともに、続く書込み動作のために必要な壁電荷を形成する。加えて、書込み放電を安定に発生させるためのプライミング（放電のための起爆剤＝励起粒子）を発生させるという働きをもつ。
【０００６】
書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。
【０００７】
続く維持期間では、走査電極と維持電極との間に所定の回数の維持パルスを印加し、書込み放電による壁電荷形成を行った放電セルを選択的に放電させ発光させる。
【０００８】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていることなど、書込み放電に関しては放電遅れを大きくする要因が多い。したがって、書込み放電を安定に発生させるためのプライミングが非常に重要となる。
【０００９】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足し放電遅れが大きくなり、書込み動作が不安定になって画像表示品質が低下するといった問題があった。あるいは、書込み動作を安定に行うために書込み時間を長く設定し、その結果、書込み期間に費やす時間が大きくなりすぎるといった問題があった。
【００１０】
これらの問題を解決するために、パネルに補助放電電極を設け補助放電によって生じたプライミングを用いて放電遅れを小さくするパネルとその駆動方法が提案されている（たとえば特許文献１）。
【００１１】
【特許文献１】
特開２００２−２９７０９１号公報
【００１２】
【発明が解決しようとする課題】
しかしながら、これらのパネルにおいては、補助放電自体の放電遅れが大きいため書込み放電の放電遅れを十分に短縮できなかったり、あるいは補助放電の動作マージンが小さく、パネルによっては誤放電を誘発する場合があるといった問題があった。
【００１３】
さらに、書込み放電の放電遅れを十分に短縮しないまま走査電極数を増やして高精細化を図ると、書込み期間に費やす時間が長くなり維持期間に費やす時間が不足するので結果的に輝度が低下するといった問題を生じてしまう。また、輝度・効率を上げるためにキセノン分圧を上げると、さらに放電遅れが大きくなって書込み動作が不安定になるという問題もある。
【００１４】
本発明は、上述した課題に鑑みなされたものであり、書込み動作を安定にかつ高速に行うことができるプラズマディスプレイパネルを提供することを目的とする。
【００１５】
【課題を解決するための手段】
本発明のプラズマディスプレイパネルは、第１の基板上に走査電極と平行に配置した補助走査電極と、第２の基板上に走査電極と平行に配置しかつ補助走査電極との間で放電を生じさせるプライミング電極とを備えたことを特徴とする。
【００１６】
【発明の実施の形態】
すなわち、請求項１に記載の発明は、第１の基板上に互いに平行に配置しかつ誘電体層で覆った走査電極および維持電極と、第１の基板上に走査電極と平行に配置した補助走査電極と、第１の基板に放電空間を挟んで対向配置される第２の基板上に走査電極および維持電極と直交する方向に配置したデータ電極と、第２の基板上に走査電極と平行に配置しかつ補助走査電極との間で放電を生じさせるプライミング電極とを備えたことを特徴とするプラズマディスプレイパネルである。
【００１７】
また、請求項２に記載の発明は、請求項１において、補助走査電極が、当該補助走査電極に隣接する走査電極よりも以前に走査する走査電極と電気的に接続されていることを特徴とするプラズマディスプレイパネルである。
【００１８】
また、請求項３に記載の発明は、請求項１または請求項２において、走査電極と維持電極とが２本ずつ交互に配列したことを特徴とするプラズマディスプレイパネルである。
【００１９】
以下、本発明の実施の形態におけるプラズマディスプレイパネルについて、図面を用いて説明する。
【００２０】
（実施の形態１）
図１は本発明の実施の形態１におけるパネルを示す断面図であり、図２は同パネルの第２の基板である背面基板側の構造を模式的に示す斜視図である。
【００２１】
図１に示すように、第１の基板であるガラス製の前面基板１と第２の基板である背面基板２とが放電空間を挟んで対向配置され、放電空間には放電によって紫外線を放射するネオンおよびキセノンの混合ガスが封入されている。
【００２２】
前面基板１上には、走査電極６と維持電極７および補助走査電極２０とが互いに平行に対をなして複数形成されている。走査電極６と維持電極７はそれぞれ透明電極６ａ、７ａと、透明電極６ａ、７ａ上に形成された金属母線６ｂ、７ｂとから構成されている。ここで、金属母線６ｂ、７ｂが形成されている側の走査電極６−維持電極７間には黒色材料からなる光吸収層８が設けられている。光吸収層８上には金属母線で構成された補助走査電極２０が形成されている。そして、これらの走査電極６、維持電極７および補助走査電極２０とを覆うように誘電体層４および保護層５が形成されている。
【００２３】
背面基板２上には、データ電極９が互いに平行に複数形成され、このデータ電極９を覆うように誘電体層１５が形成され、さらにその上に放電セル１１を区画するための隔壁１０が形成されている。隔壁１０は、図２に示すように、データ電極９に平行な縦壁部１０ａと、放電セル１１を形成しかつ放電セル１１の間に隙間部１３を形成する横壁部１０ｂとで構成されている。そして、隙間部１３にはプライミング電極１４がデータ電極９と直交する方向に形成され、プライミング空間１３ａを構成している。そして、隔壁１０により区画された放電セル１１に対応する誘電体層１５の表面と隔壁１０の側面とに蛍光体層１２が設けられている。ただし、隙間部１３側には蛍光体層１２は設けていない。
【００２４】
前面基板１と背面基板２を対向配置し封着する際、前面基板１上に形成された補助走査電極２０が背面基板２上に形成されたプライミング電極１４と平行にかつプライミング空間１３ａを挟んで対向するように位置合わせする。すなわち、図１、図２に示したパネルは、前面基板１側に形成された補助走査電極２０と背面基板２側に形成されたプライミング電極１４との間でプライミング放電を行う構成となっている。
【００２５】
なお、図１、図２にはプライミング電極１４を覆うようにさらに誘電体層１６が形成されているが、この誘電体層１６は形成しなくてもよい。
【００２６】
図３は本発明の実施の形態１におけるパネルの電極配列図である。列方向にｍ列のデータ電極Ｄ１〜Ｄｍ（図１のデータ電極９）が配列され、行方向にｎ行の補助走査電極ＰＦ１〜ＰＦｎ（図１の走査電極２０）、走査電極ＳＣ１〜ＳＣｎ（図１の走査電極６）およびｎ行の維持電極ＳＵ１〜ＳＵｎ（図１の維持電極７）とが順に配列されている。そして、補助走査電極ＰＦ２は走査電極ＳＣ１と接続され、補助走査電極ＰＦ３は走査電極ＳＣ２と接続され、・・・、補助走査電極ＰＦｎは走査電極ＳＣｎ−１と接続されている。さらに、補助走査電極ＰＦ１〜ＰＦｎと対向するようにｎ行のプライミング電極ＰＲ１〜ＰＲｎが配列されている。そして、１対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊ（図１の放電セル１１）が放電空間内にｍ×ｎ個形成され、隙間部１３には補助走査電極ＰＦｉとプライミング電極ＰＲｉとを含むプライミング空間ＰＳｉ（図１のプライミング空間１３ａ）がｎ行形成されている。
【００２７】
次に、パネルを駆動するための駆動波形とそのタイミングについて説明する。
【００２８】
図４は、本発明の実施の形態１におけるパネルの駆動波形図である。なお本実施の形態においては、１フィールド期間が初期化期間、書込み期間、維持期間を有する複数のサブフィールドから構成されているが、それぞれのサブフィールドは維持期間における維持パルスの数が異なる以外は同様の動作を行うため、１つのサブフィールドにおける動作について以下に説明する。
【００２９】
初期化期間前半部では、データ電極Ｄ１〜Ｄｍ、維持電極ＳＵ１〜ＳＵｎおよびプライミング電極ＰＲ１〜ＰＲｎをそれぞれ０（Ｖ）に保持し、走査電極ＳＣ１〜ＳＣｎと補助走査電極ＰＦ１〜ＰＦｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍ、プライミング電極ＰＲ１〜ＰＲｎとの間でそれぞれ一回目の微弱な初期化放電が起こり、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ上部には正の壁電圧が蓄積される。ここで、電極上部の壁電圧とは電極を覆う誘電体上に蓄積された壁電荷により生じる電圧をあらわす。
【００３０】
初期化期間後半部では、維持電極ＳＵ１〜ＳＵｎを正電圧Ｖｅに保ち、走査電極ＳＣ１〜ＳＣｎと補助走査電極ＰＦ２には、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍ、プライミング電極ＰＲ１〜ＰＲｎとの間でそれぞれ二回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ上部の正の壁電圧もプライミング動作に適した値に調整される。以上により初期化動作が終了する。
【００３１】
書込み期間では、走査電極ＳＣ１〜ＳＣｎおよび補助走査電極ＰＦ１〜ＰＦｎを一旦電圧Ｖｃに保持し、プライミング電極ＰＲ１〜ＰＲｎを電圧Ｖｑに保持する。そして、１行目の補助走査電極ＰＦ１に走査パルス電圧Ｖａを印加する。すると、プライミング電極ＰＲ１と補助走査電極ＰＦ１との間でプライミング放電が発生し、１行目の走査電極ＳＣ１に対応する１行目の放電セルＣ１，１〜Ｃ１，ｍ内部にプライミングが拡散する。
【００３２】
次に、１行目の走査電極ＳＣ１に走査パルス電圧Ｖａを印加するとともに、データ電極Ｄ１〜Ｄｍのうち１行目に表示すべき画像信号に対応するデータ電極Ｄｋ（ｋは１〜ｍの整数をあらわす）に正の書込みパルス電圧Ｖｄを印加する。このとき書込みパルス電圧Ｖｄを印加したデータ電極Ｄｋと走査電極ＳＣ１との交差部で放電が発生し、対応する放電セルＣ１，ｋの維持電極ＳＵ１と走査電極ＳＣ１との間の放電に進展する。そして、放電セルＣ１，ｋの走査電極ＳＣ１上部に正の壁電圧が蓄積され、維持電極ＳＵ１上部に負の壁電圧が蓄積され、書込み動作が終了する。ここで、１行目の走査電極ＳＣ１を含む１行目の放電セルＣ１，ｋの放電は、その直前に補助走査電極ＰＦ１とプライミング電極ＰＲ１との間で発生したプライミング放電から十分なプライミングが供給された状態で発生するため放電遅れが非常に小さく、したがって高速かつ安定な放電となる。
【００３３】
このとき同時に、１行目の走査電極ＳＣ１に接続された２行目の補助走査電極ＰＦ２にも走査パルス電圧Ｖａが印加され、２行目のプライミング電極ＰＲ２との間でプライミング放電が発生し、２行目の走査電極ＳＣ２に対応する２行目の放電セルＣ２，１〜Ｃ２，ｍ内部にプライミングが拡散する。
【００３４】
以下同様に、２行目の走査電極ＳＣ２に走査パルス電圧Ｖａを印加して２行目の書込み放電を行うとともに、２行目の走査電極ＳＣ２に接続された３行目の補助走査電極ＰＦ３と３行目のプライミング電極ＰＲ３との間でプライミング放電を発生させる。このときの一連の書込み放電はその直前に発生したプライミング放電から十分なプライミングが供給された状態で発生するため放電遅れが小さく、したがって高速かつ安定な放電となる。
【００３５】
同様の書込み動作をｎ行目の放電セルＣｎ，ｋに至るまで行い、書込み動作が終了する。
【００３６】
維持期間においては、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ，ｊにおける走査電極ＳＣｉ上部と維持電極ＳＵｉ上部との間の電圧は、書込み期間において走査電極ＳＣｉ上部および維持電極ＳＵｉ上部に蓄積された壁電圧に維持パルス電圧Ｖｓが加算されるので、放電開始電圧を超え維持放電が発生する。以降同様に、走査電極ＳＣ１〜ＳＣｎと維持電極ＳＵ１〜ＳＵｎとに維持パルス電圧を交互に印加することにより、書込み放電を起こした放電セルＣｉ，ｊに対して維持パルスの回数だけ維持放電が継続して行われる。
【００３７】
以上説明したように、本発明のパネルにおける書込み放電は、従来のパネルにおける初期化放電のプライミングのみに依存した書込み放電とは異なり、各放電セルの書込み動作の直前に発生させたプライミング放電から十分なプライミングが供給された状態で行うものである。したがって、放電遅れが小さく、高速かつ安定な書込み放電が実現でき、品質の高い画像を表示することができる。
【００３８】
（実施の形態２）
図５は本発明の実施の形態２におけるパネルを示す断面図、図６は同パネルの電極配列図である。実施の形態１と同一の構成要素には同一の符号をつけ説明を省略する。本実施の形態において実施の形態１と異なるところは、維持電極ＳＵ１−走査電極ＳＣ１−走査電極ＳＣ２−維持電極ＳＵ２−・・・となるように走査電極６と維持電極７とが２本ずつ交互に配列されている点である。それに伴って、プライミング電極１４および補助走査電極２０は、走査電極６同士が隣り合う部分に対応する隙間部１３にのみ形成されプライミング空間１３ａを構成する。したがって、実施の形態１においてはｎ行の補助走査電極２０とｎ行のプライミング電極１４とが各隙間部１３に設けられていたのに対し、実施の形態２においてはｎ／２行の補助走査電極２０とｎ／２行のプライミング電極１４とが隙間部１３のうち１つおきに設けられている。そして前面基板１側に形成された補助走査電極２０と背面基板２側に形成されたプライミング電極１４との間でプライミング放電が行われる。このように実施の形態２に用いられるパネルにおいては、１行分のプライミング空間１３ａが２行分の放電セルにプライミングを供給する構成となっている。
【００３９】
次に、上述のパネルを駆動するための駆動波形とそのタイミングについて説明する。
【００４０】
図７は、本発明の実施の形態２におけるパネルの駆動波形図である。なお本実施の形態においても１つのサブフィールドにおける動作について説明する。
【００４１】
初期化期間の動作については実施の形態１と同様であるため省略する。
【００４２】
書込み期間では、走査電極ＳＣ１〜ＳＣｎおよび補助走査電極ＰＦ１〜ＰＦｎを一旦電圧Ｖｃに保持し、プライミング電極ＰＲ１〜ＰＲｎを電圧Ｖｑに保持する。そして、１行目の補助走査電極ＰＦ１に走査パルス電圧Ｖａを印加する。すると、補助走査電極ＰＦ１とプライミング電極ＰＲ１との間でプライミング放電が発生し、走査電極ＳＣ１に対応する１行目の放電セルＣ１，１〜Ｃ１，ｍ内部にプライミングが拡散すると同時に走査電極ＳＣ２に対応する２行目の放電セルＣ２，１〜Ｃ２，ｍ内部にもプライミングが拡散する。
【００４３】
次に、１行目の走査電極ＳＣ１に走査パルス電圧Ｖａを印加し、データ電極Ｄｋに画像信号に対応する書込みパルス電圧Ｖｄを印加し１行目の放電セルＣ１，ｋの書込み動作を行う。
【００４４】
次に、２行目の走査電極ＳＣ２に走査パルス電圧Ｖａを印加し、データ電極Ｄｋに画像信号に対応する書込みパルス電圧Ｖｄを印加し、２行目の放電セルＣ２，ｋの書込み動作を行う。このとき、２行目の走査電極ＳＣ２に接続された３行目の補助走査電極ＰＦ３にも走査パルス電圧Ｖａが印加され、３行目のプライミング電極ＰＲ３との間でプライミング放電が発生し、３行目の走査電極ＳＣ３に対応する３行目の放電セルＣ３，１〜Ｃ３，ｍ内部と、４行目の走査電極ＳＣ４に対応する４行目の放電セルＣ４，１〜Ｃ４，ｍ内部にプライミングが拡散する。
【００４５】
以下同様に、順次書込み動作を行うが、奇数行目の放電セルＣｐ，１〜Ｃｐ，ｍ（ｐ＝１，３，５，・・・）の書込み動作時においてはプライミング放電は発生しないが、偶数行目の放電セルＣｑ，１〜Ｃｑ，ｍ（ｑ＝２，４，６，・・・）の書込み動作時においてはｑ行目の走査電極ＳＣｑに接続されたｑ＋１行目の補助走査電極ＰＦｑ＋１にも走査パルス電圧Ｖａが印加され、ｑ＋１行目のプライミング電極ＰＲｑ＋１との間でプライミング放電が発生し、ｑ＋１行目の放電セルＣｑ＋１，１〜Ｃｑ＋１，ｍ内部と、ｑ＋２行目の放電セルＣｑ＋２，１〜Ｃｑ＋２，ｍ内部にプライミングを拡散させる。
【００４６】
同様の書込み動作をｎ行目の放電セルに至るまで行い、書込み動作が終了する。
【００４７】
維持期間の動作については実施の形態１と同様であるため省略する。
【００４８】
以上説明したように、本発明のパネルにおける書込み放電は、実施の形態１と同様、各放電セルの書込み動作の直前に発生させたプライミング放電から十分なプライミングが供給された状態で行うため、放電遅れが小さく、したがって高速かつ安定な放電となる。
【００４９】
さらに、実施の形態２においては、プライミング空間１３ａ近傍に存在する電極はプライミング電極１４と走査電極６だけであるため、プライミング放電が他の不要な放電、たとえば維持電極７を含む誤放電などを引き起こす恐れがなく、プライミング放電そのものの動作が安定するという利点もある。
【００５０】
なお、ＡＣ型ＰＤＰの各電極は誘電体層に囲まれており放電空間と絶縁されているため直流成分は放電そのものには何ら寄与しない。したがって、実施の形態１あるいは実施の形態２で説明した駆動波形に直流成分を加えた波形を用いても同様の効果が得られることはいうまでもない。
【００５１】
なお、実施の形態１、２においては、１行目の放電セルＣ１，１〜Ｃ１，ｍに対応する補助走査電極ＰＦ１を設けたが、１行目の放電セルＣ１，１〜Ｃ１，ｍにおいては初期化放電で生じたプライミングが消滅する前に書込み動作を行うことができるため、補助走査電極ＰＦ１は省略してもよい。
【００５２】
図８は、実施の形態１あるいは実施の形態２におけるパネルの駆動装置の回路ブロックの一例を示す図である。本発明の実施の形態における駆動装置１００は、画像信号処理回路１０１、データ電極駆動回路１０２、タイミング制御回路１０３、走査電極駆動回路１０４、維持電極駆動回路１０５およびプライミング電極駆動回路１０６を有している。画像信号および同期信号は、画像信号処理回路１０１に入力される。画像信号処理回路１０１は、画像信号および同期信号に基づいて、各サブフィールドを点灯するか否かを制御するサブフィールド信号をデータ電極駆動回路１０２に出力する。また、同期信号はタイミング制御回路１０３にも入力される。タイミング制御回路１０３は同期信号に基づいて、データ電極駆動回路１０２、走査電極駆動回路１０４、維持電極駆動回路１０５、プライミング電極駆動回路１０６にタイミング制御信号を出力する。
【００５３】
データ電極駆動回路１０２は、サブフィールド信号およびタイミング制御信号に応じて、パネルのデータ電極９（図３のデータ電極Ｄ１〜Ｄｍ）に所定の駆動波形を印加する。走査電極駆動回路１０４はタイミング制御信号に応じてパネルの走査電極６（図３の走査電極ＳＣ１〜ＳＣｎ）および補助走査電極２０（図３の補助走査電極ＰＦ１〜ＰＦｎ）に所定の駆動波形を印加し、維持電極駆動回路１０５はタイミング制御信号に応じてパネルの維持電極７（図３の維持電極ＳＵ１〜ＳＵｎ）に所定の駆動波形を印加する。プライミング電極駆動回路１０６はタイミング制御信号に応じてパネルのプライミング電極１４（図３のプライミング電極ＰＲ１〜ＰＲｎ）に所定の駆動波形を印加する。データ電極駆動回路１０２、走査電極駆動回路１０４、維持電極駆動回路１０５、プライミング電極駆動回路１０６には電源回路（図示せず）から必要な電力が供給されている。
【００５４】
以上の回路ブロックを備えることによって本発明の実施の形態におけるプラズマディスプレイパネルを用いた駆動装置を構成することができる。
【００５５】
【発明の効果】
以上のように本発明によれば、書込み動作を安定にかつ高速に行うことができるプラズマディスプレイパネルを提供することができる。
【図面の簡単な説明】
【図１】本発明の実施の形態１におけるパネルを示す断面図
【図２】同パネルの背面基板側の構造を模式的に示す斜視図
【図３】同パネルの電極配列図
【図４】同パネルの駆動波形図
【図５】本発明の実施の形態２におけるパネルを示す断面図
【図６】同パネルの電極配列図
【図７】同パネルの駆動波形図
【図８】実施の形態１あるいは実施の形態２におけるパネルの駆動装置の回路ブロックの一例を示す図
【符号の説明】
１  前面基板
２  背面基板
４  誘電体層
５  保護層
６  走査電極
６ａ，７ａ  透明電極
６ｂ，７ｂ  金属母線
７  維持電極
８  光吸収層
９  データ電極
１０  隔壁
１０ａ  縦壁部
１０ｂ  横壁部
１１  放電セル
１２  蛍光体層
１３  隙間部
１３ａ  プライミング空間
１４  プライミング電極
２０  補助走査電極
１００  駆動装置
１０１  画像信号処理回路
１０２  データ電極駆動回路
１０３  タイミング制御回路
１０４  走査電極駆動回路
１０５  維持電極駆動回路
１０６  プライミング電極駆動回路
【図１】
2004288514.tif 000003
【図２】
2004288514.tif 000004
【図３】
2004288514.tif 000005
【図４】
2004288514.tif 000006
【図５】
2004288514.tif 000007
【図６】
2004288514.tif 000008
【図７】
2004288514.tif 000009
【図８】
2004288514.tif 000010